(57)【要約】【課題】すみやかにオーディオ出力のミュートを適切に行う「放送受信機及びそのミュート制御方法」を提供する。【解決手段】制御部１７は、フロントエンド部１２が監視している受信電波環境が良であるときには、チャネルデコーダ１４で検出した伝送フレームのＦＩＣのエラーレートと受信サブチャネルのエラーレートの双方が不良である場合に、出力処理部１６を制御して、オーディオ出力のミュートを開始する。一方、制御部１７は、フロントエンド部１２が監視する受信電波環境が不良であるときには、チャネルデコーダ１４で検出した伝送フレームのＦＩＣのエラーレートが不良であれば、直ちに出力処理部１６を制御して、オーディオ出力のミュートを開始する。【選択図】図１
2015220475.tif 000002
【特許請求の範囲】
【請求項１】
各周波数チャネルで、放送サービスに関連する情報を表す情報データと当該放送サービスで提供される番組のオーディオデータとを当該順序で含む伝送フレームを送信する放送を受信し、前記オーディオデータが表す音声をオーディオ出力する放送受信機であって、
受信中の周波数チャネルの受信電波環境の良/不良を検出する電波環境検出手段と、
受信した伝送フレームの前記情報データのエラーレートの良/不良を検出する情報データエラーレート検出手段と、
受信した伝送フレームの前記オーディオデータのエラーレートの良/不良を検出するオーディオデータエラーレート検出手段と、
前記オーディオ出力をミュートするオーディオ出力ミュート制御手段とを有し、
前記オーディオ出力ミュート制御手段は、
前記電波環境検出手段が受信電波環境の不良を検出している場合には、情報データエラーレート検出手段が前記情報データのエラーレートの不良を検出したときに、前記オーディオ出力をミュートし、
前記電波環境検出手段が受信電波環境の良を検出している場合には、情報データエラーレート検出手段が前記伝送フレームの前記情報データのエラーレートの不良を検出し、かつ、オーディオデータエラーレート検出手段が当該伝送フレームの前記オーディオデータのエラーレートの不良を検出したときに、前記オーディオ出力をミュートすることを特徴とする放送受信機。
【請求項２】
請求項１記載の放送受信機であって、
前記オーディオ出力ミュート制御手段は、オーディオ出力をミュートしているときに、情報データエラーレート検出手段が前記伝送フレームの前記情報データのエラーレートの良を検出し、かつ、オーディオデータエラーレート検出手段が当該伝送フレームの前記オーディオデータのエラーレートの良を検出した場合に、オーディオ出力のミュートを解除することを特徴とする放送受信機。
【請求項３】
請求項１または２記載の放送受信機であって、
前記放送は、ＤＡＢ（Digital Audio Broadcasting）による放送であり、
前記情報データは、ＤＡＢの伝送フレームのＦＩＣ（Fast Information Channel）を用いて伝送されるデータであり、
前記オーディオデータは、ＤＡＢの伝送フレームのＭＳＣ（Main Service Channel）の、受信対象のサブチャネル（Sub Channel）を用いて伝送されるオーディオデータであることを特徴とする放送受信機。
【請求項４】
各周波数チャネルで、放送サービスに関連する情報を表す情報データと当該放送サービスで提供される番組のオーディオデータとを当該順序で含む伝送フレームを送信する放送を受信し、前記オーディオデータが表す音声をオーディオ出力する放送受信機において、前記オーディオ出力のミュートを制御するミュート制御方法であって、
前記放送受信機が、受信中の周波数チャネルの受信電波環境の良/不良を検出する電波環境検出ステップと、
前記放送受信機が、受信した伝送フレームの前記情報データのエラーレートの良/不良を検出する情報データエラーレート検出ステップと、
前記放送受信機が、受信した伝送フレームの前記オーディオデータのエラーレートの良/不良を検出するオーディオデータエラーレート検出ステップと、
前記放送受信機が、前記オーディオ出力をミュートするミュートステップとを有し、
前記ミュートステップは、
前記電波環境検出ステップで受信電波環境の不良を検出している場合には、情報データエラーレート検出ステップで前記情報データのエラーレートの不良が検出されたときに、前記オーディオ出力をミュートし、
前記電波環境検出ステップで受信電波環境の良を検出している場合には、情報データエラーレート検出ステップで前記伝送フレームの前記情報データのエラーレートの不良が検出され、かつ、オーディオデータエラーレート検出ステップで当該伝送フレームの前記オーディオデータのエラーレートの不良が検出されたときに、前記オーディオ出力をミュートするステップであることを特徴とするミュート制御方法。
【発明の詳細な説明】
【技術分野】
【０００１】
本発明は、放送受信機においてオーディオ出力をミュートする技術に関するものである。
【背景技術】
【０００２】
放送受信機においてオーディオ出力をミュートする技術としては、欧州で普及しているＤＡＢ（Digital Audio Broadcasting：デジタルオーディオ放送）を受信する放送受信機において、ＤＡＢの伝送フレームに含まれるＦＩＣ（Fast Information Channel：高速情報チャネル）のエラーレートと、ＭＳＣ（Main Service Channel：メインサービスチャネル）のエラーレートとに応じて、オーディオ出力をミュートする技術が知られている（たとえば、特許文献１）。
【０００３】
なお、ＤＡＢの伝送フレームのＦＩＣは受信機が番組を選局するのに必要な情報や番組に対する補助情報などの放送サービスに関連する情報を伝送するチャネルであり、ＭＳＣは音声やデータなどの放送コンテンツを伝送するサブチャネル（Sub Channel）が集合したチャネルである。
【先行技術文献】
【特許文献】
【０００４】
【特許文献１】特開２００１-２２３９６１号公報
【発明の概要】
【発明が解決しようとする課題】
【０００５】
上述のようにＦＩＣのエラーレートとＭＳＣのエラーレートとに応じて、オーディオ出力をミュートする場合、ＦＩＣのエラーレートとＭＳＣのエラーレートの双方を考慮するようにすると、ＦＩＣとＭＳＣの双方の受信の完了とＦＩＣとＭＳＣの双方のエラーレートの算出の完了までミュートを行えないこととなるため、受信不良発生時に、ミュートの開始までに比較的長い時間を要することとなる。
【０００６】
一方で、ＦＩＣのエラーレートのみを考慮するようにすれば、ＤＡＢの伝送フレームにおいて、ＦＩＣはＭＳＣより前に配置されているために、受信不良発生時に比較的短時間でミュートを開始することができるが、このようにすると、出力するオーディオデータが伝送されるＭＳＣのエラーレートが不良でない場合でもオーディオ出力をミュートしてしまうこととなる。
【０００７】
また、ＦＩＣのエラーレートとＭＳＣのエラーレートの一方のみのエラーレートが不良である場合には、受信不良の程度が軽微であってすみやかに受信不良が回復する蓋然性が大きいので、ＦＩＣのエラーレートとＭＳＣのエラーレートの一方のみを考慮してオーディオ出力のミュートを行うことは必ずしも適切ではない。
【０００８】
そこで、本発明は、放送受信機において、すみやかにオーディオ出力のミュートを適切に行うことを課題とする。
【課題を解決するための手段】
【０００９】
前記課題達成のために、本発明は、各周波数チャネルで、放送サービスに関連する情報を表す情報データと当該放送サービスで提供される番組のオーディオデータとを当該順序で含む伝送フレームを送信する放送を受信し、前記オーディオデータが表す音声をオーディオ出力する放送受信機に、受信中の周波数チャネルの受信電波環境の良/不良を検出する電波環境検出手段と、受信した伝送フレームの前記情報データのエラーレートの良/不良を検出する情報データエラーレート検出手段と、受信した伝送フレームの前記オーディオデータのエラーレートの良/不良を検出するオーディオデータエラーレート検出手段と、前記オーディオ出力をミュートするオーディオ出力ミュート制御手段とを備えたものである。但し、前記オーディオ出力ミュート制御手段は、前記電波環境検出手段が受信電波環境の不良を検出している場合には、情報データエラーレート検出手段が前記情報データのエラーレートの不良を検出したときに、前記オーディオ出力をミュートし、前記電波環境検出手段が受信電波環境の良を検出している場合には、情報データエラーレート検出手段が前記伝送フレームの前記情報データのエラーレートの不良を検出し、かつ、オーディオデータエラーレート検出手段が当該伝送フレームの前記オーディオデータのエラーレートの不良を検出したときに、前記オーディオ出力をミュートする。
【００１０】
ここで、このような放送受信機は、前記オーディオ出力ミュート制御手段において、オーディオ出力をミュートしているときに、情報データエラーレート検出手段が前記伝送フレームの前記情報データのエラーレートの良を検出し、かつ、オーディオデータエラーレート検出手段が当該伝送フレームの前記オーディオデータのエラーレートの良を検出した場合に、オーディオ出力のミュートを解除するように構成してもよい。
【００１１】
なお、以上の放送受信機において、前記放送は、ＤＡＢ（Digital Audio Broadcasting）による放送であってよく、この場合、前記情報データは、ＤＡＢの伝送フレームのＦＩＣ（Fast Information Channel）を用いて伝送されるデータであり、前記オーディオデータは、ＤＡＢの伝送フレームのＭＳＣ（Main Service Channel）の、受信対象のサブチャネルを用いて伝送されるオーディオデータとなる。
【００１２】
本発明に係る放送受信機によれば、受信電波環境の良を検出している場合には、伝送フレームの前記情報データのエラーレートの不良が検出され、かつ、情報データに後続する当該伝送フレームの前記オーディオデータのエラーレートの不良が検出されたときにオーディオ出力をミュートする。
【００１３】
一方で、受信電波環境の不良を検出している場合には、伝送フレームの前記情報データのエラーレートの不良が検出されたときにオーディオ出力をミュートする。
よって、受信電波環境の不良を検出している場合には、受信電波環境の良を検出している場合に比べ、速やかにオーディオ出力のミュートを開始することができる。また、情報データのエラーレートが不良であり、受信電波環境が不良である場合には、当該情報データの不良なエラーレートは、受信電波環境が不良であることが原因であり、この場合には、受信電波環境の影響はオーディオデータにも等しく及ぶので、オーディオデータのエラーレートも不良となると考えられる。
【００１４】
よって、このように、受信電波環境が不良である場合に、情報データのエラーレートのみに応じてミュートを開始するようにしても、オーディオデータのエラーレートが良であるにも関わらずに不適切にミュートを行うこととはならない蓋然性が大きい。
【００１５】
よって、本放送受信機によれば、すみやかなオーディオ出力のミュートを、適切に行うことができるようになる。
【発明の効果】
【００１６】
以上のように、本発明によれば、放送受信機において、すみやかにオーディオ出力のミュートを適切に行うことができる。
【図面の簡単な説明】
【００１７】
【図１】本発明の実施形態に係る放送受信機の構成を示すブロック図である。
【図２】本発明の実施形態に係る放送受信機が受信する伝送フレームを示す図である。
【図３】本発明の実施形態に係る出力ミュート処理を示すフローチャートである。
【図４】本発明の実施形態に係る出力ミュート処理の処理例を示す図である。
【発明を実施するための形態】
【００１８】
以下、本発明の実施形態について説明する。
図１に、本実施形態に係る放送受信機の構成を示す。
本実施形態に係る放送受信機は、ＤＡＢ（Digital Audio Broadcasting：デジタルオーディオ放送）を受信する、車載の放送受信機である。
図示するように、放送受信機は、アンテナ１１、フロントエンド部１２、復調部１３、チャネルデコーダ１４、オーディオデコーダ１５、出力処理部１６、制御部１７、アンプやスピーカなどを備えた音声出力装置１８、表示装置１９、入力装置２０を備えている。
【００１９】
フロンエンド部は、制御部１７から受信チャネルとして設定された周波数チャネルを受信し、受信信号を復調部１３に出力する。また、フロントエンド部１２は、現在の受信チャネルの、受信信号強度や、C/N（Carrier to Noise Ratio;搬送波電力対雑音電力比）や、マルチパス障害の程度や、隣接ノイズレベルなどの受信電波環境の監視と、受信電波環境の良/不良の制御部１７への通知を継続的に行う。
【００２０】
復調部１３は、入力する受信信号に対してＯＦＤＭ復調などの復調処理を行って受信データを復元し、チャネルデコーダ１４に出力する。
チャネルデコーダ１４は、復調部１３から入力する受信データからＤＡＢの伝送フレームを再構成する。
ここで、図２に、ＤＡＢの伝送フレームの構成を示す。
図示するように、ＤＡＢの伝送フレームは、同期用のＳＣ（Synchronization Channnel）、ＦＩＣ（Fast Information Channel）、ＭＳＣ（Main Service Channel）のブロックで構成される。
【００２１】
そして、ＳＣは、粗同期用のＮＵＬＬと、位相同期用のＰＲＳとからなる。
また、ＦＩＣは受信機が番組を選局するのに必要な情報や番組に対する補助情報などの放送サービスに関連する情報を伝送する。
そして、前記ＭＳＣは複数のサブチャネル（Sub Channel）から構成され、各サブチャネルは、オーディオデータなどの放送コンテンツのデータを伝送する。
さて、図１に戻り、チャネルデコーダ１４は、このような伝送フレームを再構成したならば、伝送フレーム中のＦＩＣについて、ＦＩＣのデータのビタビ復号などの復号処理や、ＦＩＣのデータに発生しているエラーのエラーレート検出処理などを行い、復号したＦＩＣのデータを制御部１７に送ると共に、検出したＦＩＣのデータのエラーレートを制御部１７に通知する。
【００２２】
また、チャネルデコーダ１４は、再構成した伝送フレームの、ＭＳＣの制御部１７から受信サブチャネルとして指定されたサブチャネルのオーディオデータについて、サブチャネルのデータのビタビ復号などの復号処理や、サブチャネルのデータに発生しているエラーのエラーレート検出処理などを行い、復号したサブチャネルのオーディオデータをオーディオデコーダ１５に送ると共に、検出したサブチャネルのデータのエラーレートを制御部１７に通知する。
【００２３】
オーディオデコーダ１５は、チャネルデコーダ１４から送られたオーディオデータをデコードし出力処理部１６を介して音声出力装置１８に出力する。
そして、制御部１７は、入力装置２０を介して受け付けたユーザの選局操作と、チャネルデコーダ１４から送られたＦＩＣのデータとに応じて、フロントエンド部１２に受信チャネルを設定したり、チャネルデコーダ１４に受信サブチャネルを設定する処理などを行う。
【００２４】
また、制御部１７は、適当な操作用画面を出力処理部１６を介して表示装置１９に表示したり、ＦＩＣのデータに含まれる番組情報を出力処理部１６を介して表示装置１９に表示する処理なども行う。
【００２５】
以下、このような放送受信機において、制御部１７が行う出力ミュート処理について説明する。
ここで、制御部１７は、ユーザから放送の受信開始を指示されると、出力処理部１６に、オーディオデコーダ１５から入力するオーディオデータの音声出力装置１８への出力を開始させ、出力ミュート処理を開始する。
【００２６】
図３に、出力ミュート処理の手順を示す。
図示するように、この出力ミュート処理において、制御部１７は、チャネルデコーダ１４からのＦＩＣのデータのエラーレートの通知を待ち（ステップ３０２）、通知されたならば、通知されたエラーレートが所定のしきい値Th1以上であるかどうかを調べる（ステップ３０４）。
【００２７】
そして、ＦＩＣのデータのエラーレートがしきい値Th1以上でなければ（ステップ３０４）、ステップ３０２に戻り、次のＦＩＣのデータのエラーレートの通知を待つ。
一方、ＦＩＣのデータのエラーレートがしきい値Th1以上であれば（ステップ３０４）、現在フロントエンド部１２から通知されている受信電波環境が不良であるかどうかを調べ（ステップ３０６）、不良であれば、出力処理部１６に音声出力装置１８へのオーディオデータの出力を停止させることにより、オーディオ出力をミュートし（ステップ３１２）、ステップ３１４に進む。
【００２８】
一方、受信電波環境が良であれば（ステップ３０６）、チャネルデコーダ１４からのサブチャネルのデータのエラーレートの通知を待ち（ステップ３０８）、通知されたならば、通知されたエラーレートが所定のしきい値Th2以上であるかどうかを調べる（ステップ３１０）。
【００２９】
そして、サブチャネルのデータのエラーレートがしきい値Th2以上でなければ（ステップ３１０）、ステップ３０２に戻り、次のＦＩＣのデータのエラーレートの通知を待つ。
一方、サブチャネルのデータのエラーレートがしきい値Th2以上であれば（ステップ３１０）、オーディオ出力をミュートし（ステップ３１２）、ステップ３１４に進む。
そして、以上のようにオーディオ出力をミュートし（ステップ３１２）、ステップ３１４に進んだならば、チャネルデコーダ１４からのＦＩＣのデータのエラーレートの通知を待ち、通知されたならば、通知されたエラーレートが所定のしきい値Th1未満であるかどうかを調べる（ステップ３１６）。そして、しきい値未満以上でなければ、ステップ３１４に戻り、次のＦＩＣのデータのエラーレートの通知を待つ。
【００３０】
一方、ＦＩＣのデータのエラーレートがしきい値Th1未満であれば（ステップ３１６）、チャネルデコーダ１４からのサブチャネルのデータのエラーレートの通知を待ち（ステップ３１８）、通知されたならば、通知されたエラーレートが所定のしきい値Th2未満であるかどうかを調べる（ステップ３２０）。
【００３１】
そして、サブチャネルのデータのエラーレートがしきい値Th2未満でなければ（ステップ３２０）、ステップ３１４に戻り、次のＦＩＣのデータのエラーレートの通知を待つ。
一方、サブチャネルのデータのエラーレートがしきい値Th2未満であれば（ステップ３２０）、出力処理部１６に音声出力装置１８へのオーディオデータの出力を再開させることにより、オーディオ出力のミュートを解除し（ステップ３２２）、ステップ３０２からの処置に戻る。
【００３２】
以上、制御部１７が行う出力ミュート処理について説明した。
なお、以上のミュート処理では、ＦＩＣのデータのエラーレートとサブチャネルのデータのエラーレートとの双方が良である場合にミュートを解除するようにしたが、これは、受信電波環境が良であり、ＦＩＣのデータのエラーレートが良であれば、ミュートを解除するようにしてもよい。または、受信電波環境が良であり、サブチャネルのデータのエラーレートが良であれば、ミュートを解除するようにしてもよい。
【００３３】
以下、このような出力ミュート処理の処理例を示す。
いま、受信した伝送フレームのＦＩＣのデータのエラーレートがしきい値Th1以上の不良なエラーレートあり、かつ、受信した伝送フレームのＭＳＣの受信サブチャネルのエラーレートがしきい値Th2以上の不良なエラーレートであるものとする。
【００３４】
この場合、図４ａに示すように、フロントエンド部１２が監視する受信電波環境が良であるときには、伝送フレームのＦＩＣが受信され、チャネルデコーダ１４でＦＩＣのデータの復号と、しきい値Th1以上の不良なエラーレートの検出が行われた時点ではオーディオ出力のミュートは行われずに、その後、伝送フレームのＭＳＣが受信され、チャネルデコーダ１４で受信サブチャネルのデータの復号と、しきい値Th2以上の不良なエラーレートの検出が行われた時点ではオーディオ出力のミュートが行われることとなる。
【００３５】
一方、図４ｂに示すように、フロントエンド部１２が監視する受信電波環境が不良であるときには、伝送フレームのＦＩＣが受信され、チャネルデコーダ１４でＦＩＣのデータの復号と、しきい値Th1以上の不良なエラーレートの検出が行われた時点で、直ちにオーディオ出力のミュートが開始される。
【００３６】
ここで、ＦＩＣのデータのエラーレートがしきい値Th1以上の不良なエラーレートであり、受信電波環境が不良である場合には、当該ＦＩＣのデータの不良なエラーレートは、受信電波環境が不良であることが原因である蓋然性が大きく、この場合には、受信電波環境の影響は受信サブチャネルにも等しく及ぶので、受信サブチャネルのエラーレートもしきい値Th2以上の不良なエラーレートとなる。
【００３７】
よって、このように受信電波環境が不良である場合には、ＦＩＣのデータのエラーレートのみに応じてミュートを開始するようにしても、サブチャネルのエラーレートが良であるにも関わらずに不適切にミュートを行うこととはならない蓋然性が大きい。
【００３８】
よって、ＦＩＣのデータのエラーレートのみに応じてミュートを開始するようにしても、適切にオーディオ出力のミュートを行うことができる。
また、本実施形態の出力ミュート処理によれば、受信電波環境が不良であるときには、受信電波環境が良であるときに比べ、図４ａ、ｂ中の伝送フレーム受信からミュート開始までの時間T1 、T2を用いて示せば、T2-T1時間分、すみやかにオーディオ出力のミュートを開始できるようになる。
【符号の説明】
【００３９】
１１…アンテナ、１２…フロントエンド部、１３…復調部、１４…チャネルデコーダ、１５…オーディオデコーダ、１６…出力処理部、１７…制御部、１８…音声出力装置、１９…表示装置、２０…入力装置。
【図１】
2015220475.tif 000003
【図２】
2015220475.tif 000004
【図３】
2015220475.tif 000005
【図４】
2015220475.tif 000006